(57)【要約】【課題】定盤の盤面上で容易に移動させて、位置決めを簡単に、且つ正確に行うことが可能な紙当て定規を提供する。【解決手段】定規長手方向両側に、一端が定規本体２の底部に回動可能に支持されて下面にマグネットを備えたマグネットベースを配置し、定規本体２の略中央に設けられた吸着解除ボタン８を押し下げるのに連動してマグネットベースを起立させる方向へ回動させるように紙当て定規１を構成した。従って、吸着解除ボタン８を押し下げてマグネットベースを起立させる方向へ回動させ、マグネットベースを定盤の盤面に対して所定角度をなした状態で保持することで、マグネットと定盤との間に作用する当該マグネットの吸着力（磁力）を十分に小さくして、紙当て定規１を定盤の盤面上で容易に移動させることができ、紙当て定規１の位置決めを簡単に、且つ正確に行うことが可能となる。【選択図】　図１
2004050333.tif 000002
【特許請求の範囲】
【請求項１】
マグネットを吸着させて裁断器の定盤上に解離可能に固着され、直立面に当接させた紙を裁断線と直交する方向に位置決めする紙当て定規であって、
上面に吸着ボタンと吸着解除ボタンとが配設されると共に底面に横ずれ防止用の摩擦シートが付設され、前記吸着ボタンを押し込むことで前記マグネットが前記摩擦シートを介して前記定盤に吸着され、また前記吸着解除ボタンを押し込むことで前記マグネットの前記定盤への吸着が解除されることを特徴とする紙当て定規。
【請求項２】
略長方体に形成され内部空間を有する定規本体と、該定規本体の内部空間の定規長手方向両側に配置され一端が前記定規本体に回動可能に設けられると共に下面に前記マグネットが設けられたマグネットベースと、前記定規本体の底部に配設され各マグネットが前記摩擦シートを臨むように配置された切欠き部と、各マグネットベースを起立させる方向へ回動させるマグネットベース回動手段と、前記マグネットベースが前記定盤の盤面に対して所定角度をなした状態で前記マグネットベース回動手段を保持するマグネットベース保持手段と、該マグネットベース保持手段による前記マグネットベース回動手段の保持を解除して各マグネットベースを傾倒させて各マグネットを前記定盤に吸着させる吸着手段と、を具備することを特徴とする請求項１に記載の紙当て定規。
【請求項３】
前記マグネットベース回動手段は、前記定規本体に定規長手方向へスライド移動可能に設けられ、前記吸着解除ボタンの定規幅方向の一側に配置されると共に前記吸着解除ボタンの定規長手方向両側に一端を対向させて配置された一対のスライド部材と、前記吸着解除ボタンの下部に設けられ、定規長手方向両側に相互でテーパ形状をなすように配置された一対の第１の斜面と、各スライド部材の一端に設けられ、前記吸着解除ボタンの各第１の斜面に摺接させた第２の斜面と、各スライド部材の他端に設けられ、各マグネットベースの他端端面の下側角部に摺接させた第３の斜面と、を具備することを特徴とする請求項１又は２に記載の紙当て定規。
【請求項４】
前記マグネットベース保持手段は、前記吸着解除ボタンの定規幅方向の他側に前記吸着解除ボタンの他側面と対向させて配置され、下端が前記定規本体の底部に回動可能に設けられた回動板と、該回動板を前記吸着解除ボタンへ向けて付勢する回動板付勢手段と、前記吸着解除ボタンの所定位置に設けられた凸状の係止部と、前記回動板に設けられ、前記係止部を係止して前記吸着解除ボタンを下方へ押しこまれた状態で解除可能に保持する係止孔と、を具備することを特徴とする請求項１〜３のいずれかに記載の紙当て定規。
【請求項５】
前記吸着ボタンの一側面下部に前記回動板の上端端面の内側角部に摺接された第４の斜面が形成され、前記吸着手段は、前記吸着ボタンが押し込まれることで前記第４の斜面で前記回動板の上端端面の内側角部が押圧されて前記回動板を回動させ、前記回動板の前記係止孔による前記吸着解除ボタンの前記係止部の係止を解除することを特徴とする請求項１〜４のいずれかに記載の紙当て定規。
【請求項６】
前記定規本体は前記定盤に載置された状態で、前記底部外側面と前記定盤の盤面との間に前記摩擦シートの厚みと略等しい間隔が形成される上げ底に形成されており、前記摩擦シートは前記底部外側面に付設されていることを特徴とする請求項１〜５のいずれかに記載の紙当て定規。
【発明の詳細な説明】
【０００１】
【発明の属する技術分野】
本発明は、紙当て定規に関し、特に、マグネットを吸着させることで裁断器の定盤に固定される紙当て定規に関する。
【０００２】
【従来の技術】
従来から、裁断器の定盤上に解離可能に固着され、紙の基準辺を当接させることで当該紙を裁断線と直交する方向に位置決めさせる紙当て定規が知られており、このような紙当て定規として、例えば、定規本体が直立面を含む長方体に形成され、該定規本体底面に摩擦シート状のボンド系マグネットが貼着されたものがある。そして、上記紙当て定規は、裁断線からの距離が適正となるように直立面がスチール製の裁断器の定盤の盤面上で位置決めされ、マグネットを定盤に吸着させて当該定盤に固着される。しかしながら、上記紙当て定規では、裁断器の定盤の盤面上に載置した状態、即ちマグネットを定盤に吸着させた状態で、常時マグネットの最大吸着力が作用されるので、当該紙当て定規を微細に移動させて位置調整するのが極めて困難であった。そこで、マグネットの磁力が弱められた紙当て定規があるが、紙を直立面に突き当てた時の衝撃で紙当て定規が動いてしまい、所望の裁断線と実際の裁断線とを一致させることができずに、紙が裁断されてしまう虞がある。
【０００３】
【発明が解決しようとする課題】
そこで本発明は、上記事情に鑑みてなされたもので、定盤の盤面上での位置決めが容易で、且つ定盤に強固に固定することが可能な紙当て定規を提供することを目的とする。
【０００４】
【課題を解決するための手段】
上記目的を達成するために、本発明のうち請求項１に記載の発明は、マグネットを吸着させて裁断器の定盤上に解離可能に固着され、直立面に当接させた紙を裁断線と直交する方向に位置決めする紙当て定規であって、上面に吸着ボタンと吸着解除ボタンとが配設されると共に底面に横ずれ防止用の摩擦シートが付設され、吸着ボタンを押し込むことでマグネットが摩擦シートを介して定盤に吸着され、また吸着解除ボタンを押し込むことでマグネットの定盤への吸着が解除されることを特徴とする紙当て定規。
【０００５】
請求項２に記載の発明は、請求項１に記載の発明において、略長方体に形成され内部空間を有する定規本体と、該定規本体の内部空間の定規長手方向両側に配置され一端が定規本体に回動可能に設けられると共に下面にマグネットが設けられたマグネットベースと、定規本体の底部に配設され各マグネットが摩擦シートを臨むように配置された切欠き部と、各マグネットベースを起立させる方向へ回動させるマグネットベース回動手段と、マグネットベースが定盤の盤面に対して所定角度をなした状態でマグネットベース回動手段を保持するマグネットベース保持手段と、該マグネットベース保持手段によるマグネットベース回動手段の保持を解除して各マグネットベースを傾倒させて各マグネットを定盤に吸着させる吸着手段と、を具備することを特徴とする。
【０００６】
請求項３に記載の発明は、請求項１又は２に記載の発明において、マグネットベース回動手段は、定規本体に定規長手方向へスライド移動可能に設けられ、吸着解除ボタンの定規幅方向の一側に配置されると共に吸着解除ボタンの定規長手方向両側に一端を対向させて配置された一対のスライド部材と、吸着解除ボタンの下部に設けられ、定規長手方向両側に相互でテーパ形状をなすように配置された一対の第１の斜面と、各スライド部材の一端に設けられ、吸着解除ボタンの各第１の斜面に摺接させた第２の斜面と、各スライド部材の他端に設けられ、各マグネットベースの他端端面の下側角部に摺接させた第３の斜面と、を具備することを特徴とする。
【０００７】
請求項４に記載の発明は、請求項１〜３のいずれかに記載の発明において、マグネットベース保持手段は、吸着解除ボタンの定規幅方向の他側に吸着解除ボタンの他側面と対向させて配置され、下端が定規本体の底部に回動可能に設けられた回動板と、該回動板を吸着解除ボタンへ向けて付勢する回動板付勢手段と、吸着解除ボタンの所定位置に設けられた凸状の係止部と、回動板に設けられ、係止部を係止して吸着解除ボタンを下方へ押しこまれた状態で解除可能に保持する係止孔と、を具備することを特徴とする。
【０００８】
請求項５に記載の発明は、請求項１〜４のいずれかに記載の発明において、吸着ボタンの一側面下部に回動板の上端端面の内側角部に摺接された第４の斜面が形成され、吸着手段は、吸着ボタンが押し込まれることで第４の斜面で回動板の上端端面の内側角部が押圧されて回動板を回動させ、回動板の係止孔による吸着解除ボタンの係止部の係止を解除することを特徴とする。
【０００９】
請求項６に記載の発明は、請求項１〜５のいずれかに記載の発明において、定規本体は定盤に載置された状態で、底部外側面と定盤の盤面との間に摩擦シートの厚みと略等しい間隔が形成される上げ底に形成されており、摩擦シートは底部外側面に付設されていることを特徴とする。
【００１０】
従って、請求項１に記載の発明では、吸着ボタンを押し込むことで、マグネットを定盤に吸着させて紙当て定規を裁断器の定盤に固着させることができ、また吸着解除ボタンを押し込むことでマグネットの定盤への吸着を解除して紙当て定規を定盤の盤面上を水平方向へ移動させることができる。さらに、底面に横ずれ防止用の摩擦シートを設けたことにより、定盤の盤面を保護して傷が付くのを防止することができると共に、吸着力（磁力）が小さいマグネットであっても横ずれに対する抵抗力が十分に大きな紙当て定規を得ることができ、定盤に吸着させた紙当て定規に紙を当接させた際の衝撃で紙当て定規が移動するのを防ぐことができる。
【００１１】
請求項２に記載の発明では、マグネットベース回動手段によりマグネットベースを起立させる方向へ回動させ、マグネットベースが定盤の盤面に対して所定角度をなした状態でマグネットベース保持手段によりマグネットベース回動手段を保持する。これにより、マグネットと定盤との間に作用する当該マグネットの吸着力（磁力）が十分小さくなるので、紙当て定規を定盤の盤面上で容易に移動させることができ、紙当て定規を容易に適正位置に位置決めすることが可能となる。また、吸着手段によりマグネットベース保持手段によるマグネットベース回動手段の保持を解除して各マグネットベースを傾倒させることにより、各マグネットを定盤に吸着させて紙当て定規を適正位置に位置決めされた状態で定盤に固着させることができる。
【００１２】
請求項３に記載の発明では、吸着解除ボタンを押圧して下方へ移動させることにより、各スライド部材の各第２の斜面が吸着解除ボタンの各第１の斜面で押圧されて一対のスライド部材が各第２の斜面を吸着解除ボタンの各第１の斜面に摺動させながら相互に離反するように移動する。同時に、各スライド部材の各第３の斜面で各マグネットベースの他端端面の下側角部が押し上げられて各マグネットベースが起立する方向へ回動される。
【００１３】
請求項４に記載の発明では、吸着解除ボタンの係止部を回動板の係止孔で係止することで吸着解除ボタンを押し下げた状態で保持することが可能となり、これによりマグネットベースを定盤の盤面に対して所定角度をなした状態で保持することができる。
【００１４】
請求項５に記載の発明では、マグネットベース保持手段がマグネットベースを保持した状態で吸着ボタンを押圧して下方へ移動させることにより、回動板の上端端面の内側角部が吸着ボタンに設けられた第４の斜面に押圧されて、回動板の上端が吸着解除ボタンに対して離反する方向へ回動板が回動する。これにより、回動板の係止孔による吸着解除ボタンの係止部の係止が解除され、マグネットと定盤との間に作用する吸着力（磁力）によりマグネットベースが傾倒する方向へ回動する。従って、一対のスライドベースの各第３の斜面が各マグネットベースの他端端面の下側角部で押圧されて、一対のスライドベースは相互に近接するように移動する。同時に、吸着解除ボタンの各第１の斜面が一対のスライドベースの各第２の斜面で押圧されて、吸着解除ボタンが上方へ押し上げられる。
【００１５】
請求項６に記載の発明では、紙当て定規を定盤の盤面上に位置決めする際には、紙当て定規が盤面上を容易に移動して当該紙当て定規を適正位置に位置決めさせることができ、また、紙当て定規を定盤に固着させる際には、摩擦シート材を介在させてマグネットを定盤に吸着させることにより、吸着力（磁力）が小さいマグネットであっても横ずれに対する抵抗力が十分に大きな紙当て定規を得ることができ、定盤に吸着させた紙当て定規に紙を当接させた際の衝撃で紙当て定規が移動するのを防ぐことができる。
【００１６】
【発明の実施の形態】
本発明の一実施の形態を図１乃至図１３に基づいて説明する。図１及び図２に示す本紙当て定規１は、定規本体２が略長方体に形成され、裁断器３の定盤４の盤面４ａ上に位置決めされた状態で定規本体２に設けられたマグネット７（図３〜図８参照）の磁力によりスチール製の定盤４に解離可能に固着される。そして、定規本体２の直立面５に紙６を当接させて当該紙６を裁断線と直交する方向（図２における紙面視左右方向）へ位置決めし、紙６の裁断幅（図２に示すＷ）を調節する構造になっている。また、本紙当て定規１は、吸着解除ボタン８を操作してマグネット７と定盤４との間に作用する当該マグネット７の吸着力（磁力）を小さくすることで、定盤４の盤面４ａ上を容易に移動させて位置決め可能となる。そして、位置決め後、吸着ボタン９を操作してマグネット７を摩擦シート１０を介在させて定盤４に吸着させることにより、紙当て定規１を当該定盤４に固着させることができるように構成されている。
【００１７】
図３〜図６に示すように、上記定規本体２は、長方形に形成された底部１１の周囲に４つの側壁１２〜１５を当該底部１１と直角をなすように配設して構成された本体下部１６と、該本体下部１６に整合させて蓋状に形成され紙６が当接される直立面５を備えた本体上部１７と、に分割して形成されている。本体上部１７の基部１７ａの裏面には端面に雌ねじが螺設されたボス２４が定規長手方向へ所定間隔を有して立設され、また本体下部１６の底部１１には上記ボス２４の雌ねじに整合させて配置されたねじ挿通孔２５が設けられている。そして、上記ねじ挿通孔２５を挿通させたねじ（図示せず）をボス２５の雌ねじに螺合させて本体下部１６の底部１１と本体上部１７のボス２４の端面とを締結させることにより、定規本体２を定盤４の盤面４ａ上に載置させた状態で、図４及び図６に示すように、底部外側面１１ａと盤面４ａとの間に上記摩擦シート１０の厚みＴ１（図７参照）と略等しい間隙が形成されるようにして定規本体２が構成される構造になっている。なお、上記摩擦シート１０は、本体下部１６の底部外側面１１ａに付設されている。また、図３〜図８に示すように、本体下部１６の底部１１には、各マグネット７を臨む略正方形に形成された切欠き部４４が配設されている。そして、図７に示すように、マグネット７の厚みＴ２は、上記摩擦シート１０の厚みＴ１と本体下部１６の底部１１の厚みＴ３とを加えた厚みに設定されている（Ｔ２＝Ｔ１＋Ｔ３）。
【００１８】
また、上記本体下部１６には、定規長手方向（図３〜図６における紙面視左右方向）両側にマグネットベース１８が配設されている。各マグネットベース１８の下面には、図３及び図５に示すように、略円板状のマグネット７が固定されている。さらに、各マグネットベース１８には一端の両側に凸部１９が形成され、これら凸部１９は本体下部１６の底部１１と側壁１２との角部に配設された支持部２０に回動可能に支持されている。さらに、各マグネットベース１８の他端には、図７及び図８に示すように、下面と段差を有して形成され後述するスライド部材２２の第３の斜面３２に角部３１ａが摺接された段差部３１が設けられている。
【００１９】
また、定規本体２の定規長手方向略中央には、本体下部１６の底部１１に立設された軸２６により底部１１と直交する方向へ案内された吸着解除ボタン８が設けられている。上記吸着解除ボタン８は、図４に示すように、上部が本体上部１７の基部１７ａに設けられた切欠き部２８から突出し、定規長手方向両側に突設された係止片２７を上記切欠き部２８の端縁に当接させて上方への移動が規制されている。また、吸着解除ボタン８の下部には、定規長手方向両側に相互でテーパ形状をなすように形成された第１の斜面２９が配置されている。そして、吸着解除ボタン８の定規長手方向両側には、図３〜図６に示すように、スライド部材２２が配設されている。また、各スライド部材２２は、一端に吸着解除ボタン８の各第１の斜面２９に摺接させた第２の斜面３０が形成されると共に他端に上記マグネットベース１８の段差部３１の角部３１ａに摺接させた第３の斜面３２が形成され、本体下部１６の側壁１３と底部１１に配設されたガイドリブ３３とで定規長手方向へスライド移動可能に支持されている。
【００２０】
そして、吸着解除ボタン８を押圧して下方へ移動させることにより、各スライド部材２２の各第２の斜面３０が吸着解除ボタン８の各第１の斜面２９で押圧されて、一対のスライド部材２２が各第２の斜面３０を吸着解除ボタン８の各第１の斜面２９に摺動させながら相互に離反するように移動し、この時、各スライド部材２２の各第３の斜面３２で各マグネットベース１８の段差部３１の角部３１ａが押し上げられて各マグネットベース１８が起立する方向（図７における反時計回り方向）へ回動される構造になっている。また、図３、図５、並びに図９〜図１１に示すように、吸着解除ボタン８と本体下部１６の側壁１２との間に回動板３４が配置されている。該回動板３４は下端の両側に凸部３５が形成され、これら凸部３５は本体下部１６の底部１１に配設された支持部３６に回動可能に支持されている。
【００２１】
また、回動板３４と本体下部１６の側壁１２との間には鋼板を二つ折りに屈曲させて断面が略Ｖ字状に形成されたばね材３７が介挿されており、該ばね部材３７により回動板３４が吸着解除ボタン８に向けて付勢されている。また、本体下部１６の側壁１２と対向する吸着解除ボタン８の側面には凸状の係止部３８が設けられている。さらに、回動板３４には、図１１に示すように、吸着解除ボタン８が押し下げられた状態の係止部３８を係止する係止孔３９が設けられている。そして、本紙当て定規１では、吸着解除ボタン８の係止部３８を回動板３４の係止孔３９で係止することで押し下げられた状態で吸着解除ボタン８を保持し、これにより、図８に示すように、マグネットベース１８が定盤４の盤面４ａに対して所定角度をなした状態で保持される構造になっている。
【００２２】
また、図３〜図６に示すように、定規本体２には、本体下部１６の底部１１に立設された軸４５により底部１１と直交する方向へ案内されて圧縮コイルばね４２により上方へ付勢された吸着ボタン９が上記吸着解除ボタン８に隣設されている。上記吸着ボタン９は、図４に示すように、上部が本体上部１７の基部１７ａに設けられた切欠き部４０から突出し、定規長手方向両側に突設された係止片４１を上記切欠き部４０の端縁に当接させて上方への移動が規制されている。また、図１２及び図１３に示すように、吸着ボタン９には本体下部１６の側壁１２と対向する部位に上記回動板３４の上端端面の角部３４ａに摺接された第４の斜面４３が形成されている。
【００２３】
そして、本紙当て定規１では、吸着解除ボタン８の係止部３８が回動板３４の係止孔３９で係止されて吸着解除ボタン８が押し下げられた状態（図１１参照）で吸着ボタン９を押圧して下方へ移動させることにより、回動板３４の上端端面の角部３４ａが吸着ボタン９に設けられた第４の斜面４３に押圧され、回動板３４の上端が吸着解除ボタン８に対して離反する方向へ回動板３４が図９〜図１３における反時計回り方向へ回動する。これにより、回動板３４の係止孔３９による吸着解除ボタン８の係止部３８の係止が解除され、マグネット７と定盤４との間に作用する吸着力（磁力）によりマグネットベース１８が傾倒する方向へ回動する構造になっている。さらに、一対のスライドベース２２の各第３の斜面３２が各マグネットベース１８の段差部３１の角部３１ａで押圧されることにより、一対のスライドベース２２が相互に近接するように移動し、同時に、吸着解除ボタン８の各第１の斜面２９が一対のスライドベース２２の各第２の斜面３０で押圧されて吸着解除ボタン８が上方へ自然に押し上げられる構造になっている。
【００２４】
次に、本紙当て定規１の作用を説明する。図４及び図７に示すように、本紙当て定規１は、マグネット７を摩擦シート１０を介して裁断器３の定盤４に吸着させることにより定盤４に固着される。そして、この定盤４に固着された状態から紙当て定規１を当該定盤４の盤面４ａ上を摺動移動させて位置決めさせるには、図６に示すように、吸着解除ボタン８を押し下げて下方へ移動させる。これにより、吸着解除ボタン８の各第１の斜面２９で各スライド部材２２の各第２の斜面３０を押圧して、一対のスライド部材２２を各第２の斜面３０と吸着解除ボタン８の各第１の斜面２９とを摺動させながら相互に離反する方向へ移動させる。そして、一対のスライド部材２２が移動するのに伴い、各スライド部材２２の各第３の斜面３２により各マグネットベース１８の段差部３１の角部３１ａが押し上げられ、図８に示すように、各マグネットベース１８が起立する方向（図７における反時計回り方向）へ回動する。
【００２５】
そして、吸着解除ボタン８を所定位置まで押し下げると、図１１に示すように、吸着解除ボタン８の係止部３８が、回動板３４の係止孔３９に係合して当該係止孔３９に係止されて、吸着解除ボタン８の上方への移動が阻止される。これにより、図８に示すように、マグネットベース１８は定盤４の盤面４ａに対して所定の角度をなした状態で保持される。この状態では、摩擦シート１０から浮かせた状態のマグネット７と定盤４との間に作用する当該マグネット７の吸着力（磁力）は十分に小さくなり、また摩擦シート１０が本体下部１６の底部１１の外側面１１ａにのみ貼着されているので、紙当て定規１を定盤４の盤面４ａ上で容易に水平に移動させて位置決めすることができる。
【００２６】
そして、定盤４の盤面４ａ上で適正位置に位置決めさせた紙当て定規１を当該定盤４に固着させるには、図１２及び図１３に示すように、吸着ボタン９を押し下げる。これにより、吸着ボタン９の第４の斜面４３で回動板３４の角部３４ａを押圧して、回動板３４の上端が吸着解除ボタン８に対して離反する方向へ回動板３４を回動させる。これにより、回動板３４の係止孔３９による吸着解除ボタン８の係止部３８の係止が解除され、マグネット７と定盤４との間に作用する吸着力（磁力）により各マグネットベース１８が傾倒する方向へ回動する。そして、各マグネット７を摩擦シート１０を介在させて定盤４に吸着させることにより、紙当て定規１を定盤４に固着させることができる。一方、各マグネットベース１８が傾倒する方向へ回動することで、一対のスライドベース２２の各第３の斜面３２が各マグネットベース１８の段差部３１の角部３１ａで押圧されて、一対のスライドベース２２は相互に近接する方向へ移動する。そして、一対のスライド部材２２が相互に近接方向へ移動するのに伴い、一対のスライドベース２２の各第２の斜面３０で吸着解除ボタン８の各第１の斜面２９を押圧して、吸着解除ボタン８が上方へ押し上げられる。
【００２７】
この実施の形態では以下の効果を奏する。
定規長手方向両側に、一端が定規本体２の底部１１に回動可能に支持されて下面にマグネット７を備えたマグネットベース１８を配置し、定規本体２の略中央に設けられた吸着解除ボタン８を押し下げるのに連動してマグネットベース１８を起立させる方向へ回動させるように紙当て定規１を構成し、また起立させる方向へ回動させたマグネットベース１８を定盤４の盤面４ａに対して所定角度をなした状態で解除可能に保持するようにしたので、吸着解除ボタン８を押し下げてマグネットベース１８を起立させる方向へ回動させ、マグネットベース１８を定盤４の盤面４ａに対して所定角度をなした状態で保持することで、マグネット７と定盤４との間に作用する当該マグネット７の吸着力（磁力）を十分に小さくして、紙当て定規１を定盤４の盤面４ａ上で容易に移動させることができ、紙当て定規１の位置決めを簡単に、且つ正確に行うことが可能となる。
【００２８】
吸着ボタン９を押し下げることで、定盤４の盤面４ａに対して所定角度をなした状態でのマグネットベース１８の保持が解除されるので、吸着ボタン９を押し下げてマグネットベース１８の保持を解除することで、当該マグネットベース１８は自重、及びマグネット７と定盤４との間に作用する当該マグネット７の吸着力（磁力）により傾倒される方向へ回動して、摩擦シート１０を介在させた状態でマグネット７を定盤４に吸着させる。これにより、吸着力（磁力）が小さいマグネット７であっても横ずれに対する抵抗力が十分に大きな紙当て定規１を得ることができ、定盤４に吸着させた紙当て定規１に紙６を当接させた際の衝撃で紙当て定規１が移動するのを防ぐことができる。
【００２９】
定規本体２の底部１１を上げ底に形成すると共に該底部１１の外側面１１ａに、底部１１と定盤４の盤面４ａとの間隔とほぼ等しい厚みの摩擦シート１０を付設したので、紙当て定規１を定盤４の盤面４ａ上で移動させる際に、摩擦シート１０が定盤４の盤面４ａに押し付けられるようなことがなく、紙当て定規１を定盤４の盤面４ａ上でスムースに移動させて位置決めすることが可能となる。
【００３０】
マグネット７の厚みＴ２を、摩擦シート１０の厚みＴ１と底部１１の厚みＴ３とを加えた厚みと略等しく設定したので、紙当て定規１を定盤４に強固に固着させることができる。
【００３１】
なお、実施の形態は上記に限定されるものではなく、例えば次のように構成してもよい。
本実施の形態では、吸着解除ボタンを押し下げてマグネットベースを定規長手方向へ延びる軸の回りに回動させたが、マグネットベースを定規幅方向へ延びる軸の回りに回動させるように構成してもよい。
【００３２】
【発明の効果】
以上詳述したように、本発明によれば、定盤の盤面上での位置決めが容易で、且つ定盤に強固に固定することが可能な紙当て定規を提供することができる。
【図面の簡単な説明】
【図１】本紙当て定規の斜視図である。
【図２】裁断器の定盤に固着させた紙当て定規に紙を当接させて位置決めさせた状態を示す図である。
【図３】本紙当て定規の説明図で、特に、マグネットを定盤に吸着させた状態を示す本体上部を透視した平面図である。
【図４】図３におけるＡ−Ａ矢視図である。
【図５】本紙当て定規の説明図で、特に、マグネットベースが定盤の盤面定盤に対して所定角度をなして保持された状態を示す本体上部を透視した平面図である。
【図６】図５におけるＢ−Ｂ矢視図である。
【図７】図４における断面Ｃ−Ｃを示す図である。
【図８】図６における断面Ｄ−Ｄを示す図である。
【図９】図４における断面Ｅ−Ｅを示す図である。
【図１０】本紙当て定規の説明図で、特に、図９の状態から吸着ボタンが押し下げられて回動板が回動し、回動板の係止孔による吸着解除ボタンの係止部の係止が解除された直後の状態を示す断面図である。
【図１１】図６における断面Ｆ−Ｆを示す図である。
【図１２】図４における断面Ｇ−Ｇを示す図である。
【図１３】図１２に示す状態から吸着ボタンを押し下げて回動板を回動させた状態を示す図である。
【符号の説明】
１　　　　　紙当て定規
２　　　　　定規本体
３　　　　　裁断器
４　　　　　定盤
５　　　　　直立面
６　　　　　紙
７　　　　　マグネット
８　　　　　吸着解除ボタン（マグネットベース回動手段）
９　　　　　吸着ボタン（吸着手段）
１０　　　　摩擦シート
１１　　　　底部
１８　　　　マグネットベース
２２　　　　スライド部材（マグネットベース回動手段）
２９　　　　第１の斜面（マグネットベース回動手段）
３０　　　　第２の斜面（マグネットベース回動手段）
３１ａ　　　角部（マグネットベース回動手段）
３２　　　　第３の斜面（マグネットベース回動手段）
３４　　　　回動板（マグネットベース保持手段）
３７　　　　ばね材（付勢手段）
３８　　　　係止部（マグネットベース保持手段）
３９　　　　係止孔（マグネットベース保持手段）
４３　　　　第４の斜面（吸着手段）
【図１】
2004050333.tif 000003
【図２】
2004050333.tif 000004
【図３】
2004050333.tif 000005
【図４】
2004050333.tif 000006
【図５】
2004050333.tif 000007
【図６】
2004050333.tif 000008
【図７】
2004050333.tif 000009
【図８】
2004050333.tif 000010
【図９】
2004050333.tif 000011
【図１０】
2004050333.tif 000012
【図１１】
2004050333.tif 000013
【図１２】
2004050333.tif 000014
【図１３】
2004050333.tif 000015